(57)【特許請求の範囲】
【請求項１】
鉛筆の先端部が差入れられ、かつ、差入れられた鉛筆の回転操作に伴って当該鉛筆を削る切削刃を備えた切削空間と、
この切削空間に対し自由端側を出し入れ可能とするように他端側で回動可能に組み付けられるアームと、
前記アームを、当該アームにおける前記自由端側を前記切削空間から外方に逃げ出させる向きに常時付勢する付勢手段とを備えており、
前記アームには、このアームの自由端側を前記切削空間に入り込ませた状態において、当該切削空間に差入れられた鉛筆の先端に接して当該鉛筆の内奥側への移動を阻止する当接面が、当該アームの前記自由端と回動中心との間にあって位置を異にして複数個所形成してあると共に、
前記アームの自由端側を、前記付勢手段の付勢に抗して前記切削空間内へ向けて、又は、当該付勢手段による付勢により当該切削空間外に向けて、段階的に移動させるように、前記アームに前記付勢手段による移動先側で当接され、かつ、この当接位置を調整操作可能な押圧体を備えており、
前記押圧体による前記アームの段階的な移動により、当該アームが前記自由端側を前記切削空間に入り込ませた状態において、前記複数の当接面のいずれか一つを、前記切削空間に差入れられた鉛筆の先端に選択的に当接させる構成としてあることを特徴とする鉛筆削り。
【発明の詳細な説明】
【０００１】
【発明の属する技術分野】
この発明は、差し入れた鉛筆の回転操作により、当該鉛筆の内奥側への移動を許容しながら、当該鉛筆の先端部を削る切削空間を有するタイプの鉛筆削りの改良に関する。
【０００２】
【従来の技術】
鉛筆の差し入れ開口側から内奥側に向けて漸次穴径を小さくするように構成された鉛筆の差し入れ穴と、この差し入れ穴に連通し、かつ、鉛筆の差し入れの向きに沿って設けられたスリットと、このスリットに臨まされる刃部を、このスリットの長さ方向に亙って有する切削刃とを備えた鉛筆削りが従来より用いられている。
【０００３】
かかる鉛筆削りにおいては、前記差し入れ穴に鉛筆を差し入れた後、この鉛筆を回転操作することにより、前記スリットに臨まされた刃部により鉛筆の周面に当該鉛筆を内奥側に移動させながら漸次切削を施すことができる。
【０００４】
また、この種の鉛筆削りにおいて、当該鉛筆の切削後の太さを調整できるようにすることも求められるところであり、こうした調整機構を備えたこの種の鉛筆削りも種々提案され、また、用いられている。
【０００５】
【発明が解決しようとする課題】
前記調整機構を備えたこの種の鉛筆削りの典型例として、特開平２−１２５７９９公報記載の鉛筆削りがある。かかる鉛筆削りにあっては、前記差し入れ穴に沿って設けられたスリットにより二分されるカッターユニットの構成材の一方を当該構成材の他方に対し近接・離隔可能に弾性変形し得るものとすると共に、かかる構成材の弾性変形量を調整可能に当該構成材の一方に当接し、この構成材を押圧させる押圧手段を有している。前記構成材の一方の弾性変形量を大きくすれば、前記差し込み穴は狭められ、前記切削に伴う鉛筆の移動量を小さくでき、したがって、鉛筆を比較的太めに削ることができる。また、前記構成材の一方の弾性変形量を小さくすれば、前記差し込み穴は広げられ、前記切削に伴う鉛筆の移動量を大きくでき、したがって、鉛筆を比較的細めに削ることができる。
【０００６】
しかしながら、かかる鉛筆削りにあっては、前記鉛筆の太さの調整を前記スリットにより二分された前記構成材の一方の弾性変形によらしめるものであるため、かかる一方の構成材の他方の構成材に対する近接・離隔量を大きく確保し難いものであり、前記調整をなしても切削後の鉛筆の先端部の太さを顕著に異ならせるようにし難いものであった。また、前記構成材の一方が経時的に劣化して、弾性復帰を十分にしなくなり、常に前記差し入れ穴が所期の大きさから狭められた状態となってしまう不都合を生じさ得るものであった。
【０００７】
そこで、この発明はかかる従来の技術の不都合を解消し、さらに、この種の鉛筆削りにおける切削後の鉛筆の太さの調整を、簡易な構造をもって、確実になすことができるようにすることを目的とする。
【０００８】
【課題を解決するための手段】
前記目的を達成するために、この発明にあっては、鉛筆削りを以下の（１）から（６）の構成を備えたものとした。
（１）鉛筆Ｐの先端Ｐａ部が差入れられ、かつ、差入れられた鉛筆Ｐの回転操作に伴って当該鉛筆Ｐを削る切削刃１１を備えた切削空間１０と、
（２）  この切削空間１０に対し自由端２１側を出し入れ可能とするように他端２２側で回動可能に組み付けられるアーム２０と、
（３）  前記アーム２０を、当該アーム２０における前記自由端２１側を前記切削空間１０から外方に逃げ出させる向きに常時付勢する付勢手段３０とを備えており、
（４）  前記アーム２０には、このアーム２０の自由端２１側を前記切削空間１０に入り込ませた状態において、当該切削空間１０に差入れられた鉛筆Ｐの先端Ｐａに接して当該鉛筆Ｐの内奥側１２への移動を阻止する当接面２３が、当該アーム２０の前記自由端２１と回動中心２２ａとの間にあって位置を異にして複数個所形成してあると共に、
（５）  前記アーム２０の自由端２１側を、前記付勢手段３０の付勢に抗して前記切削空間１０内へ向けて、又は、当該付勢手段３０による付勢により当該切削空間１０外に向けて、段階的に移動させるように、前記アーム２０に前記付勢手段３０による移動先側２４で当接され、かつ、この当接位置を調整操作可能な押圧体４０を備えており、
（６）  前記押圧体４０による前記アーム２０の段階的な移動により、当該アーム２０が前記自由端２１側を前記切削空間１０に入り込ませた状態において、前記複数の当接面２３、２３…のいずれか一つを、前記切削空間１０に差入れられた鉛筆Ｐの先端Ｐａに選択的に当接させる；
【０００９】
かかる（１）ないし（６）の構成によれば、前記押圧体４０と前記アーム２０との当接位置を調整することにより、当該アーム２０の自由端２１側を前記切削空間１０に入り込ませる向きに移動させ、また、抜け出させる向きに移動させることができる。
【００１０】
前記アーム２０の自由端２１は、前記当接位置の調整により、前記切削空間１０から外方に完全に抜け出した状態となるようにすることもできる。かかるアーム２０の自由端２１が前記切削空間１０から完全に抜け出された場合、前記切削空間１０に差し入れられた鉛筆Ｐにおける前記回転操作による切削に伴った内奥側１２への移動は、前記当接面２３による阻止を受けず、この場合には前記切削に伴って鉛筆Ｐをもっとも大きく内奥側１２に移動させることができ、したがって鉛筆Ｐの先端Ｐａ部をもっとも細く切削することができる。（図３）
【００１１】
また、前記アーム２０の自由端２１を前記切削空間１０に入り込ませることにより、前記当接面２３をかかる切削空間１０に差し入れられた鉛筆Ｐの先端Ｐａに、当該鉛筆Ｐの前記切削に伴った移動を一定位置で阻止するように接しさせることができ、鉛筆Ｐの先端Ｐａ部の切削後の太さを一定の太さに保つことができる。（図４、図５）このように鉛筆Ｐの前記切削に伴う移動を当該鉛筆Ｐの先端Ｐａに前記当接面２３を接しさせて阻止させる結果、切削の必要とされる芯の先端が丸まり、あるいは、平坦になった鉛筆Ｐにおける当該芯の先端の丸まり、あるいは、平坦となった形態を残しながら、当該芯を長くさせる切削を施すことができ、とりわけ、芯の硬度の低い色鉛筆Ｐなどの鉛筆Ｐに対し適切な切削を施すことができる。
【００１２】
また、かかる当接面２３は、前記アーム２０の前記自由端２１と回動中心２２ａとの間にあって位置を異にして複数個所形成してあり、しかも、この複数の当接面２３、２３…のいずれか一つを前記押圧体４０による前記アーム２０の段階的な移動により前記鉛筆Ｐの先端Ｐａに選択的に当接させることができることから、当該鉛筆Ｐの先端Ｐａに当接される前記当接面２３を前記アーム２０の自由端２１側にある当接面２３とすることにより、当該鉛筆Ｐの前記切削に伴う移動を小さくし、また、当該鉛筆Ｐの先端Ｐａに当接される前記当接面２３を前記アーム２０の回動中心２２ａ側の当接面２３とすることにより、当該鉛筆Ｐの前記切削に伴う移動を大きくすることができる。かかる鉛筆Ｐの前記切削に伴う移動を大きくすることにより鉛筆Ｐを細めに、また、かかる切削にともなう移動を小さくすることにより鉛筆Ｐを太めに、切削させることができる。（図４、図５）
【００１３】
なお、前記アーム２０の付勢は、例えば、当該アーム２０を回動可能に組み付ける軸に巻き付けられたネジリコイルバネの一端を当該アーム２０に止め付け、かつ、当該バネの他端をかかるアーム２０の取り付け基材に止め付けることにより、あるいは、当該アーム２０における前記取り付け基材に向き合った側部に、当該取り付け基材面に先端側を弾性的に突き当て前記アーム２０を当該面から離れ出す向きに付勢させる弾性片を一体に設けさせることにより、確保することができる。
【００１４】
【発明の実施の形態】
以下、図１ないし図６に示されるこの発明の典型的な実施の形態の一つについて説明する。
【００１５】
なお、ここで図１は、この実施の形態にかかる鉛筆削りの全体構成を理解し易いように、当該鉛筆削りを構成する各部品を分解して斜視状態として示している。また、図２は、切削空間１０内にアーム２０の自由端２１部が入り込んだ状態を理解し易いように、当該切削空間１０の内奥側１２からかかる切削空間１０を構成するシャープナー部Ｓおよびアーム２０の一部を斜視状態して示している。
【００１６】
また、図３ないし図６は、鉛筆削りの要部を縦断面の状態としてそれぞれ示している。具体的には、図３は、最大切削位置Ｍｘにアーム２０の自由端２１がある状態を、図４は、中間切削位置Ｎにアーム２０の自由端２１がある状態を、図５および図６は最小切削位置Ｍｉにアーム２０の自由端２１がある状態を、それぞれ示している。（図３ないし図５においては、これらの各位置Ｍｘ、Ｎ、Ｍｉにおいて切削される鉛筆Ｐの先端Ｐａ部の形状を理解し易いように、各図の下側にかかる鉛筆Ｐの先端Ｐａ部を併せて表している。また、図６は、図３ないし図５と異なる位置で、鉛筆削りの要部を縦断面として示している。）
【００１７】
この実施の形態にかかる鉛筆削りは、鉛筆Ｐの先端Ｐａ部を差し入れ可能とし、かつ、差し入れられた鉛筆Ｐの回転操作に伴って当該鉛筆Ｐを内奥側１２に移動させながら当該鉛筆Ｐの先端Ｐａ部を削る切削刃１１を備えた切削空間１０を有するシャープナー部Ｓを持つと共に、このシャープナー部Ｓにおける切削空間１０内での前記鉛筆Ｐの内奥側１２への移動量の増減機構Ｚを備えるものである。かかる移動量が大きくなれば前記切削により鉛筆Ｐの先端Ｐａは細められ、かかる移動量が小さくなるにしたがって鉛筆Ｐの先端Ｐａを細くしない切削が施される。
【００１８】
前記シャープナー部Ｓと前記増減機構Ｚは、典型的には、適宜のケース体に組み付け、収められて、鉛筆削りを構成する。この実施の形態にあっては、向き合った一対のケース構成板１００、１００間に、かかるシャープナー部Ｓと増減機構Ｚを収めて、鉛筆削りを構成している。（図１、図３ないし図６）
【００１９】
（シャープナー部Ｓ）
シャープナー部Ｓは、略円形の鉛筆Ｐの差し入れ開口１３ａと、この差し入れ開口１３ａ側から奥側に向けて次第に穴径を小さくし、奥側においても開口１３ｂされた鉛筆Ｐの差し込み穴１３を有する。また、この差し込み穴１３の奥側の開口１３ｂに連通する奥側切削空所１４を有する。また、前記差し込み穴１３の長さ方向に沿って設けられ、かつ、当該差し込み穴１３に連通するスリット１５を備えている。このスリット１５の奥側端１５ａは、前記奥側切削空所１４に連通されている。
【００２０】
また、シャープナー部Ｓは、外側に、長さ方向に亙る一側縁に亙って刃部１１ａを備えた長方板状をなす切削刃１１を備えている。この切削刃１１は、前記スリット１５の長さ方向に亙る一方縁側からに他方縁側に向けて刃部１１ａを突き出させ、かつ、このスリット１５に刃部１１ａを沿わせるように組み付けてある。この切削刃１１は、前記スリット１５の奥側端１５ａからさらに奥側に突き出す長さを有しており、このように突き出す切削刃１１の奥側端部内面１１ｂと、この奥側端部内面１１ｂに間隔を開けて向き合う側壁１４ａとにより、前記奥側切削空所１４が形成されている。
【００２１】
したがって、かかるシャープナー部Ｓによれば、前記差し込み穴１３に対し前記差し入れ開口１３ａから鉛筆Ｐの先端Ｐａ部を差し入れ、かつ、かかる鉛筆Ｐを回転操作することにより、前記切削刃１１の刃部１１ａにより鉛筆Ｐに順次切削を施すことができ、この切削に伴って前記差し込み穴１３の内奥側１２、さらには、この差し込み穴１３に連通される奥側切削空所１４の内奥側１２に向けて次第に鉛筆Ｐを移動させて、この鉛筆Ｐの先端Ｐａ部を漸次細めるように切削することができる。
【００２２】
すなわち、この実施の形態にあっては、かかるシャープナー部Ｓにおける前記差し込み穴１３と前記奥側切削空所１４とにより、前記切削空間１０を構成している。
【００２３】
（増減機構Ｚ）
増減機構Ｚは、一端側で回動可能に組み付けられたアーム２０と、このアーム２０の自由端２１側を一方向に向けて移動させる向きに付勢する付勢手段３０と、このアーム２０における前記付勢手段３０の付勢による移動先側２４で当該アーム２０に当接される押圧体４０とを備えている。
【００２４】
（増減機構Ｚ／アーム２０）
アーム２０は、前記シャープナー部Ｓの奥側切削空所１４、すなわち、前記切削刃１１の奥側端部内面１１ｂと側壁１４ａとの間に、一方側から出し入れ可能に入り込む自由端２１と、前記ケース構成板１００に回動可能に組み付けられる他端２２とを備えた細長い板状に構成してある。
【００２５】
前記回動組み付け側となる他端２２部には、当該アーム２０の両側に突き出す軸突部２６が設けてある。この軸突部２６の一方は、当該アーム２０の一面側から突き出す拡径円柱部２６ａの先端面から突き出し状に設けてある。
【００２６】
また、この実施の形態にあっては、前記一対のケース構成板１００のそれぞれにおいて、このケース構成板１００の内面から、前記アーム２０の回動組み付け側となる他端２２部を収める間隔を開けて突き出し状に設けられ、かつ、この一対のケース構成板１００を組み合わせた際にそれぞれ上端面１０２ａを突き合わせる一対の側板１０２、１０２の当該上端部１０２ａに、この突き合わせにより前記アーム２０の軸突部２６を収める軸穴１０３を形成させる軸凹部１０２ｂが設けてある。そして、このように構成される軸穴１０３に前記軸突部２６を収めて前記アーム２０が回動可能に組み付けられている。
【００２７】
かかるアーム２０は、後述する付勢手段３０により、前記自由端２１側を前記切削空間１０から逃げ出させる向きに常時付勢される構成としてある。
【００２８】
また、かかるアーム２０には、このアーム２０の自由端２１側が前記切削空間１０に入り込んだ状態において、前記切削空間１０に差し入れられた鉛筆Ｐの先端Ｐａに接して、この接した位置から奥への鉛筆Ｐの移動を阻止する二か所の当接面２３が形成してある。
【００２９】
かかる二か所の当接面２３は、前記アーム２０の自由端２１と回動中心２２ａとの間、すなわち、当該アーム２０の長さ方向に亙って位置を異にし、かつ、当該アーム２０の回動方向Ｆにその面を沿わせるように設けてある。この実施の形態にあっては、前記アーム２０の回動中心２２ａと自由端２１の頂部２１ａとを結んだ線分Ｌに対し、前記付勢手段３０の付勢による前記アーム２０の移動先側２４と反対の側２５に、第一の当接面２３ａが設けてある。また、この第一の当接面２３ａよりも前記切削空間１０における鉛筆Ｐの差し入れ開口１３ａに近付く位置、すなわち、この実施の形態にあっては、前記自由端２１の頂部２１ａに第二の当接面２３ｂが設けてある。また、かかる第一の当接面２３ａに対し、第二の当接面２３ｂは前記線分Ｌを挟んだ下方に位置され、したがって、両当接面２３の間には段差面２３ｃが形成されている。
【００３０】
また、かかるアーム２０における前記付勢手段３０の付勢による移動先側２４の当該アーム２０の長さ方向に亙る側端部には、後述する押圧体４０の押圧面２７が設けてある。この実施の形態にあっては、かかる押圧面２７は前記線分Ｌに対する間隔を異ならせる三つの押圧面２７に区分して構成してあり、かつ、各押圧面２７が前記アーム２０の回動方向Ｆに直交する向きにその面を沿わせるように設けてある。
【００３１】
この実施の形態にあっては、前記アーム２０の回動中心２２ａ側にある第一の押圧面２７ａと前記線分Ｌとの間隔がもっとも大きく、かかる第一の押圧面２７ａと第三の押圧面２７ｃとの間にある第二の押圧面２７ｂと前記線分Ｌとの間隔がこれに続いて大きく、前記アーム２０の自由端２１の頂部２１ａ側にある第三の押圧面２７ｃと前記線分Ｌとの間隔がもっとも小さくなるように構成してある。したがって、各押圧面２７間には、前記アーム２０の回動方向Ｆに沿った段差面２７ｄが形成されている。
【００３２】
そして、この実施の形態にあっては、後述する押圧体４０が前記第三の押圧面２７ｃに当接する状態において、前記アーム２０の自由端２１が前記切削空間１０に入り込まず、（図３）また、かかる押圧体４０が前記第二の押圧面２７ｂに当接する状態において、当該切削空間１０内に差し入れられた鉛筆Ｐの先端Ｐａに前記第一の当接面２３ａが突き当てられるように当該自由端２１が前記切削空間１０に入り込み、（図４）さらに、かかる押圧体４０が前記第一の押圧面２７ａに当接する状態において、当該切削空間１０内に差し入れられた鉛筆Ｐの先端Ｐａに前記第二の当接面２３ｂが突き当てられるように当該自由端２１が前記切削空間１０に入り込む構成としてある。（図５および図６）
【００３３】
また、かかるアーム２０における前記拡径円柱部２６ａが設けられている側にある側面には、後述する付勢手段３０のセッティングをなす突部２８が設けてある。
【００３４】
（増減機構Ｚ／付勢手段３０）
付勢手段３０は、この実施の形態にあっては、前記アーム２０における拡径円柱部２６ａに巻回部３１ａを巻き付けたネジリコイルバネ３１として構成してある。
【００３５】
かかるバネ３１の一端は、前記アーム２０の突部２８に対し当該アーム２０の移動先側２４と反対の側２５で当該突部２８に引っ掛けたられており、一方、かかるバネ３１の他端はかかる移動先側２４と反対の側２５にある前記ケース構成板１００の板面１００ａに突き当てられている。そして、この状態において、前記バネ３１の巻回部３１ａが弾性変形された構成としてある。
【００３６】
したがって、かかるバネ３１により、前記アーム２０は前記バネ３１の他端が突き当てられているケース構成板１００から前記自由端２１側を離れ出させる向き、すなわち、前記切削空間１０からこの自由端２１側を逃げ出させる向きに常時付勢される。
【００３７】
（増減機構Ｚ／押圧体４０）
押圧体４０は、前記アーム２０の自由端２１側から回動中心２２ａ側に向けて移動可能に、当該アーム２０の前記付勢手段３０の付勢による移動先側２４にある前記ケース構成板１００に組み付けてある。
【００３８】
すなわち、この実施の形態にあっては、前記押圧体４０を、前記ケース構成板１００に設けられる前記アーム２０の長さ方向に沿ったスリット１０１に差し込まれ、当該ケース構成板１００の内側に突き出す突片４１として構成してある。当該突片４１は、前記ケース構成板１００の外方に位置される略円形の操作頭部４２の下面にこの操作頭部４２の直径方向に沿うように設けてある。前記スリット１０１は、この突片４１の長さ寸法よりも長く設けてあり、したがって、前記操作頭部４２に指などを押し当ててこの操作頭部４２を前記スリット１０１の長さ方向に向けて押圧することにより、当該スリット１０１に沿って突片４１を移動させることができる。
【００３９】
かかる突片４１はまた、移動方向の前後端に、前記操作頭部４２の周縁から側方に突き出す突き出し部４３を備えている。この実施の形態にあっては、前記スリット１０１から内方に向けて突き出される前記突片４１の突き出し部４３と前記ケース構成板１００の内面との間に、弾性変形可能なリング４４を嵌め付けて、前記スリット１０１に突片４１を差し入れた操作頭部４２が脱落しないようにしてある。
【００４０】
このように構成される押圧体４０における前記突片４１の前記アーム２０の回動中心２２ａ側に向けられた先端部が、当該アーム２０の前記各押圧面２７に当接して、このアーム２０を前記バネ３１による付勢に抗して押圧する押圧部４１ａとされる。
【００４１】
（機能）
以上の構成から、この実施の形態にかかる鉛筆削りは、以下のように機能する。
【００４２】
前記押圧体４０を構成する突片４１の押圧部４１ａが、前記バネ３１によりこの押圧部４１ａに突き当たる向きに付勢されるアーム２０に対し、当該アーム２０の前記第三の押圧面２７ｃに当接している状態においては、当該アーム２０は前記切削空間１０に自由端２１を入り込ませない状態とされる。（図３）したがって、この状態において当該切削空間１０に差し入れられた鉛筆Ｐは当該鉛筆Ｐを回転させてなす切削に伴なう移動の阻止を受けることがなく、鉛筆Ｐの先端Ｐａ部をもっとも細く削ることができる。（最大切削位置Ｍｘ）
【００４３】
次いで、前記押圧体４０を構成する突片４１を前記操作頭部４２を押圧して前記スリット１０１に沿って前記アーム２０の回動中心２２ａ側に移動させると、かかる突片４１の押圧部４１ａが、前記バネ３１によりこの押圧部４１ａに突き当たる向きに付勢されるアーム２０に対し、当該アーム２０の前記第三の押圧面２７ｃと第二の押圧面２７ｂとの段差面２７ｄを乗り越え、当該第二の押圧面２７ｂに当接するに至り、かかる第三の押圧面２７ｃと第二の押圧面２７ｂとのレベルの差分、前記アーム２０は前記切削空間１０に向けて前記バネ３１の付勢に抗して押し込まれる。この状態において、当該アーム２０は前記切削空間１０内に自由端２１を入り込ませ、かつ、前記第一当接面２３を差し入れられる鉛筆Ｐの先端Ｐａに向き合わせる。（図４）したがって、この状態において当該切削空間１０に差し入れられた鉛筆Ｐは、当該鉛筆Ｐの先端Ｐａが前記第一の当接面２３ａに突き当たる位置で、当該鉛筆Ｐを回転させてなす切削に伴なう移動の阻止を受け、前記最大切削位置Ｍｘにおける切削を施した鉛筆Ｐに比し、当該鉛筆Ｐの先端Ｐａ部が太くなるように削ることができる。（中間切削位置Ｎ）
【００４４】
次いで、前記押圧体４０を構成する突片４１を前記操作頭部４２を押圧して前記スリット１０１に沿って前記アーム２０の回動中心２２ａ側にさらに移動させると、かかる突片４１の押圧部４１ａが、前記バネ３１によりこの押圧部４１ａに突き当たる向きに付勢されるアーム２０に対し、当該アーム２０の前記第二の押圧面２７ｂと第一の押圧面２７ａとの段差面２７ｄを乗り越え、当該第一の押圧面２７ａに当接するに至り、かかる第二の押圧面２７ｂと第一の押圧面２７ａとのレベルの差分、前記アーム２０は前記切削空間１０に向けて前記バネ３１の付勢に抗して押し込まれる。この状態において、当該アーム２０は前記切削空間１０内に自由端２１をさらに入り込ませ、かつ、前記第二の当接面２３ｂを差し入れられる鉛筆Ｐの先端Ｐａに向き合わせる。（図５および図６）したがって、この状態において当該切削空間１０に差し入れられた鉛筆Ｐは、当該鉛筆Ｐの先端Ｐａが前記第二の当接面２３ｂに突き当たる位置で、当該鉛筆Ｐを回転させてなす切削に伴なう移動の阻止を受け、前記中間切削位置Ｎにおける切削を施した鉛筆Ｐに比し、さらに当該鉛筆Ｐの先端Ｐａ部が太くなるように削ることができる。（最小切削位置Ｍｉ）
【００４５】
すなわち、この実施の形態にかかる鉛筆削りにあっては、前記最大切削位置Ｍｘ、中間切削位置Ｎおよび最小切削位置Ｍｉのいずれかの位置に、必要に応じて前記押圧体４０を構成する突片４１を移動操作することにより、鉛筆Ｐの先端Ｐａを三種類の太さに切削することができる。
【００４６】
なお、前記当接面２３の数を三か所以上にし、これに対応して前記押圧面２７の数を四か所以上とすることにより、鉛筆Ｐの先端Ｐａを四種類以上の異なった太さに切削できるようにすることができる。
【００４７】
（その他の特徴点など）
この実施の形態にあっては、前記各押圧面２７間にある段差面２７ｄが、前記アーム２０の自由端２１側から回動中心２２ａ側に向けて高まる傾斜面Ｋとしてあると共に、前記押圧体４０を構成する突片４１の移動によりこの段差面２７ｄに突き当たる当該突片４１の端部にかかる段差面２７ｄと逆向きにの傾斜面４１ｂが設けてあることから、当該突片４１のかかる段差面２７ｄの乗り越えは円滑なものとされる。
【００４８】
また、前記押圧体４０の組み付け側にある前記ケース構成板１００には、当該押圧体４０の移動方向に沿って長くなるように形成された窓穴１０４が設けてあると共に、当該押圧体４０を構成する突片４１に嵌め付けられた前記リング４４の一側部にこの窓穴１０４を前記ケース構成板１００の内側で塞ぐ表示板部４４ａが設けてあり、この表示板部４４ａの一部が着色部４４ｂとされている。そして、前記最大切削位置Ｍｘでこの表示板部４４ａの着色部４４ｂが窓穴全体に表れ、この最大切削位置Ｍｘから中間切削位置Ｎ、さらに最小切削位置Ｍｉに前記押圧体４０が移動されるにしたがって、窓穴に表れる前記着色部４４ｂの面積が減少するようにしてある。この結果、前記押圧体４０が前記各位置のいずれに移動されているかを、使用者に容易に認識させることができる。
【００４９】
【発明の効果】
この発明にかかる鉛筆削りによれば、鉛筆Ｐの切削空間１０に自由端２１側を出し入れ可能に回動組み付けられるアーム２０と、このアーム２０を前記切削空間１０から前記自由端２１を逃げ出させる向きに付勢する付勢手段３０と、このアーム２０の自由端２１側を前記付勢に抗して段階的に移動させる押圧体４０との三つのパーツからなる簡易な構造をもって、鉛筆Ｐの先端Ｐａ部を異なる複数の太さに選択的に切削することができ、また、選択された太さとなるように確実にかかる切削を施すことができる特長を有する。
【図面の簡単な説明】
【図１】鉛筆削りの分解斜視図
【図２】鉛筆削りの要部斜視図
【図３】鉛筆削りの使用状態を示す縦断面図および鉛筆Ｐの先端Ｐａ部の側面図（最大切削位置Ｍｘ）
【図４】鉛筆削りの使用状態を示す縦断面図および鉛筆Ｐの先端Ｐａ部の側面図（中間切削位置Ｎ）
【図５】鉛筆削りの使用状態を示す縦断面図および鉛筆Ｐの先端Ｐａ部の側面図（最小切削位置Ｍｉ）
【図６】鉛筆削りの使用状態を示す縦断面図（最小切削位置Ｍｉ）
【符号の説明】
Ｐ  鉛筆
Ｐａ  先端（鉛筆Ｐの）
１０  切削空間
１１  切削刃
１２  内奥側
２０  アーム
２１  自由端（アーム２０の）
２２  他端（アーム２０の）
２２ａ  回動中心（アーム２０の）
２３  当接面
２３  移動先側（アーム２０の）
３０  付勢手段
４０  押圧体
【図１】
0003787217.tif 000002
【図２】
0003787217.tif 000003
【図３】
0003787217.tif 000004
【図４】
0003787217.tif 000005
【図５】
0003787217.tif 000006
【図６】
0003787217.tif 000007